【手続補正書】
【提出日】平成18年1月24日(2006.1.24)
【手続補正１】
【補正対象書類名】明細書
【補正対象項目名】発明の名称
【補正方法】変更
【補正の内容】
【発明の名称】ビデオ信号に含まれる補助情報の表示を可能にする方法およびビデオ・システム
【手続補正２】
【補正対象書類名】明細書
【補正対象項目名】特許請求の範囲
【補正方法】変更
【補正の内容】
【特許請求の範囲】
【請求項１】  ビデオ信号に含まれる補助情報の表示を可能にする方法であって、
１行当たり第１の数の表示しようとする文字を表す前記補助情報を受信するステップと、
受信した前記補助情報を表す表示リスト・データであって、第１の数の文字のうちの第１の部分とバッファのアドレスを指示するポインタを表す表示リスト・データはメモリに記憶され、第１の数の文字のうちの第２の部分を表す表示リスト・データはバッファに記憶される、表示リスト・データを記憶するステップと、
第１の数の文字のうちの第１の部分と第２の部分を表す記憶済み表示リスト・データをコントローラを使用して取り出すステップと、
ピクセル・データを出力して前記補助情報の前記表示を可能にするステップであって、前記表示が１行当たり前記第１の数の文字を提供するステップと、を含む、前記方法。
【請求項２】  前記補助情報が、前記ビデオ信号のリアルタイム情報コンポーネントを表す情報を含む、請求項１に記載の方法。
【請求項３】  前記補助情報がクローズド・キャプション・データを含み、
前記ポインタが、表示しようとする各文字について前記バッファ内のビットマップ・データを指示する、請求項１に記載の方法。
【請求項４】  前記補助情報がクローズド・キャプション・データから成り、
前記クローズド・キャプション・データが前記ビデオ信号の垂直帰線消去期間の部分で受信される、請求項１に記載の方法。
【請求項５】  前記補助情報がクローズド・キャプション・データから成り、
前記クローズド・キャプション・データが、前記ビデオ信号で表されるディジタル・データの１つまたは複数のパケット中で受信される、請求項１に記載の方法。
【請求項６】  前記第１の数の文字が３４文字を含み、
前記第１の数の文字のうちの第１の部分が２８文字から成る、請求項１に記載の方法。
【請求項７】  前記表示リスト・データを記憶する前記ステップが、
前記第１の数の文字のうちの第１の部分についての表示リスト・データを記憶するステップと、
バッファのアドレスを指示するポインタを記憶するステップと、
前記第１の数の文字のうちの第２の部分についてのビットマップ・データを前記バッファに記憶するステップとを含む、請求項１に記載の方法。
【請求項８】  前記第１の数の文字のうちの前記第１の部分についての前記表示リスト・データが複数の文字タイル中に記憶され、
前記ポインタが単一の文字タイル中に記憶される、請求項７に記載の方法。
【請求項９】  前記複数の文字タイルおよび前記単一の文字タイルが隣接する、請求項８に記載の方法。
【請求項１０】  １行当たり第１の数の表示しようとする文字を表す補助情報を含むビデオ信号を受信するように動作するチューナと、
バッファと、
前記受信した補助情報を表す表示リスト・データを記憶するように動作するメモリと、
前記第１の数の文字のうちの第１の部分と第２の部分を表す前記記憶済み表示リスト・データを取り出すように動作するコントローラとを備え、前記メモリは、前記第１の数の文字のうちの第１の部分と前記バッファのアドレスを指示するポインタを表す前記表示リスト・データを記憶し、前記バッファは、前記第１の数の文字のうちの第２の部分を表す前記表示リスト・データを記憶する、ビデオ・システム。
【請求項１１】  前記コントローラがさらに、ピクセル・データを出力して前記補助情報の表示を可能にするように動作し、前記表示リスト・データが１行当たり前記第１の数の文字を提供する、請求項１０に記載のビデオ・システム。
【請求項１２】  前記補助情報が、前記ビデオ信号のリアルタイム情報コンポーネントを表す情報から成る、請求項１０に記載のビデオ・システム。
【請求項１３】  前記補助情報がクローズド・キャプション・データを含み、
前記表示ポインタが、表示しようとする各文字についてのビットマップ・データを指示する、請求項１０に記載のビデオ・システム。
【請求項１４】  前記補助情報がクローズド・キャプション・データから成り、
前記クローズド・キャプション・データが前記ビデオ信号の垂直帰線消去期間の部分で受信される、請求項１０に記載のビデオ・システム。
【請求項１５】  前記補助情報がクローズド・キャプション・データから成り、
前記クローズド・キャプション・データが、前記ビデオ信号で表されるディジタル・データの１つまたは複数のパケット中で受信される、請求項１０に記載のビデオ・システム。
【請求項１６】  前記第１の数の文字が３４文字から成り、
前記第１の数の文字のうちの第１の部分が２８文字から成る、請求項１０に記載のビデオ・システム。
【請求項１７】  前記メモリが、
前記第１の数の文字のうちの第１の部分についての表示リスト・データを記憶し、且つ、
前記第１の数の文字のうちの第２の部分についてのビットマップ・データを含むバッファのアドレスを指示するポインタを記憶することにより、前記表示リスト・データを記憶するように動作する、請求項１０に記載のビデオ・システム。
【請求項１８】  前記第１の数の文字のうちの前記第１の部分についての前記表示リスト・データが前記メモリの複数の文字タイル中に記憶され、
前記ポインタが前記メモリの単一の文字タイル中に記憶される、請求項１７に記載のビデオ・システム。
【請求項１９】  前記複数の文字タイルおよび前記単一の文字タイルがメモリ内で隣接する、請求項１８に記載のビデオ・システム。
【手続補正３】
【補正対象書類名】明細書
【補正対象項目名】０００７
【補正方法】変更
【補正の内容】
【０００７】
【課題を解決するための手段】
本発明の一態様において、ビデオ信号に含まれる補助情報の表示を可能にする方法を開示する。例示的な一実施形態によると、この方法は、１行当たり第１の数の表示しようとする文字を表す前記補助情報を受信するステップと、受信した前記補助情報を表す表示リスト・データであって、第１の数の文字のうちの第１の部分とバッファのアドレスを指示するポインタを表す表示リスト・データはメモリに記憶され、第１の数の文字のうちの第２の部分を表す表示リスト・データはバッファに記憶される、表示リスト・データを記憶するステップと、第１の数の文字のうちの第１の部分と第２の部分を表す記憶済み表示リスト・データをコントローラを使用して取り出すステップと、ピクセル・データを出力して前記補助情報の前記表示を可能にするステップであって、前記表示が１行当たり前記第１の数の文字を提供するステップと、を含んでいる。
【手続補正４】
【補正対象書類名】明細書
【補正対象項目名】０００８
【補正方法】変更
【補正の内容】
【０００８】
本発明の別の態様において、ビデオ信号に含まれる補助情報の表示を可能にするビデオ・システムを開示する。例示的な一実施形態によると、このビデオ・システムは、１行当たり第１の数の表示しようとする文字を表す補助情報を含むビデオ信号を受信するように動作するチューナと、バッファと、前記受信した補助情報を表す表示リスト・データを記憶するように動作するメモリと、前記第１の数の文字のうちの第１の部分と第２の部分を表す前記記憶済み表示リスト・データを取り出すように動作するコントローラとを備え、前記メモリは、前記第１の数の文字のうちの第１の部分と前記バッファのアドレスを指示するポインタを表す前記表示リスト・データを記憶し、前記バッファは、前記第１の数の文字のうちの第２の部分を表す前記表示リスト・データを記憶する。
【手続補正５】
【補正対象書類名】明細書
【補正対象項目名】００３５
【補正方法】変更
【補正の内容】
【００３５】
以下に本発明の実施態様を例示する。
（１）ビデオ信号に含まれる補助情報の表示を可能にする方法であって、
（Ｓ４１）１行当たり第１の数の表示しようとする文字を表す前記補助情報を受信するステップと、
（Ｓ４２）受信した前記補助情報を表す表示リスト・データであって、第１の数の文字のうちの第１の部分とバッファのアドレスを指示するポインタを表す表示リスト・データはメモリに記憶され、第１の数の文字のうちの第２の部分を表す表示リスト・データはバッファに記憶される、表示リスト・データを記憶するステップと、
（Ｓ４３）第１の数の文字のうちの第１の部分と第２の部分を表す記憶済み表示リスト・データをコントローラを使用して取り出すステップと、
（Ｓ４６）ピクセル・データを出力して前記補助情報の前記表示を可能にするステップであって、前記表示が１行当たり前記第１の数の文字を提供するステップと、を含む、前記方法。
（２）前記補助情報が、前記ビデオ信号のリアルタイム情報コンポーネントを表す情報を含む、（１）に記載の方法。
（３）前記補助情報がクローズド・キャプション・データを含み、
前記ポインタが、表示しようとする各文字について前記バッファ内のビットマップ・データを指示する、（１）に記載の方法。
（４）前記補助情報がクローズド・キャプション・データから成り、
前記クローズド・キャプション・データが前記ビデオ信号の垂直帰線消去期間の部分で受信される、（１）に記載の方法。
（５）前記補助情報がクローズド・キャプション・データから成り、
前記クローズド・キャプション・データが、前記ビデオ信号で表されるディジタル・データの１つまたは複数のパケット中で受信される、（１）に記載の方法。
（６）前記第１の数の文字が３４文字を含み、
前記第１の数の文字のうちの第１の部分が２８文字から成る、（１）に記載の方法。
（７）前記表示リスト・データを記憶する前記ステップが、
（Ｓ５１）前記第１の数の文字のうちの第１の部分についての表示リスト・データを記憶するステップと、
（Ｓ５２）バッファのアドレスを指示するポインタを記憶するステップと、
（Ｓ５３）前記第１の数の文字のうちの第２の部分についてのビットマップ・データを前記バッファに記憶するステップとを含む、（１）に記載の方法。
（８）前記第１の数の文字のうちの前記第１の部分についての前記表示リスト・データが複数の文字タイル（３１）中に記憶され、
前記ポインタが単一の文字タイル（３３）中に記憶される、（７）に記載の方法。
（９）前記複数の文字タイル（３１）および前記単一の文字タイル（３３）が隣接する、（８）に記載の方法。
（１０）１行当たり第１の数の表示しようとする文字を表す補助情報を含むビデオ信号を受信するように動作するチューナ（１０）と、
バッファと、
前記受信した補助情報を表す表示リスト・データを記憶するように動作するメモリ（１３）と、
前記第１の数の文字のうちの第１の部分と第２の部分を表す前記記憶済み表示リスト・データを取り出すように動作するコントローラ（１１）とを備え、前記メモリは、前記第１の数の文字のうちの第１の部分と前記バッファのアドレスを指示するポインタを表す前記表示リスト・データを記憶し、前記バッファは、前記第１の数の文字のうちの第２の部分を表す前記表示リスト・データを記憶する、ビデオ・システム（１００）。
（１１）前記コントローラ（１１）がさらに、ピクセル・データを出力して前記補助情報の表示を可能にするように動作し、前記表示リスト・データが１行当たり前記第１の数の文字を提供する、（１０）に記載のビデオ・システム（１００）。
（１２）前記補助情報が、前記ビデオ信号のリアルタイム情報コンポーネントを表す情報から成る、（１０）に記載のビデオ・システム（１００）。
（１３）前記補助情報がクローズド・キャプション・データを含み、
前記表示ポインタが、表示しようとする各文字についてのビットマップ・データを指示する、（１０）に記載のビデオ・システム（１００）。
（１４）前記補助情報がクローズド・キャプション・データから成り、
前記クローズド・キャプション・データが前記ビデオ信号の垂直帰線消去期間の部分で受信される、（１０）に記載のビデオ・システム（１００）。
（１５）前記補助情報がクローズド・キャプション・データから成り、
前記クローズド・キャプション・データが、前記ビデオ信号で表されるディジタル・データの１つまたは複数のパケット中で受信される、（１０）に記載のビデオ・システム（１００）。
（１６）前記第１の数の文字が３４文字から成り、
前記第１の数の文字のうちの第１の部分が２８文字から成る、（１０）に記載のビデオ・システム（１００）。
（１７）前記メモリ（１３）が、
前記第１の数の文字のうちの第１の部分についての表示リスト・データを記憶し、且つ、
前記第１の数の文字のうちの第２の部分についてのビットマップ・データを含むバッファ（３４）のアドレスを指示するポインタを記憶することにより、前記表示リスト・データを記憶するように動作する、（１０）に記載のビデオ・システム（１００）。
（１８）前記第１の数の文字のうちの前記第１の部分についての前記表示リスト・データが前記メモリ（１３）の複数の文字タイル（３１）中に記憶され、
前記ポインタが前記メモリ（１３）の単一の文字タイル（３３）中に記憶される、（１７）に記載のビデオ・システム（１００）。
（１９）前記複数の文字タイル（３１）および前記単一の文字タイル（３３）がメモリ（１３）内で隣接する、（１８）に記載のビデオ・システム（１００）。